(57)【要約】【課題】簡単な構成で、素材を押し出し加工して粗形材を成形するとともに、この粗形材を据え込み鍛造加工して所定の成形品を少ないコストで成形することができる塑性加工装置および塑性加工方法を提供する。【解決手段】塑性加工装置は、素材Ｗ１を押し出し加工して粗形材Ｗ２を成形する押し出し成形型１と、粗形材Ｗ２を据え込み鍛造加工して所定の成形品Ｗ３を成形する据え込み鍛造型２と、相対向して設けられたフレーム３およびベース４と、フレーム３およびベース４の間に配置されてフレーム３とベース４との間を移動するスライドテーブル５とを備えており、フレーム３とスライドテーブル５との間に押し出し成形型１が設けられ、また、ベース４とスライドテーブル５との間に据え込み鍛造型２が設けられている。【選択図】図１
2014226679.tif 000002
【特許請求の範囲】
【請求項１】
素材を押し出し加工して粗形材を成形する押し出し成形型と、
前記粗形材を据え込み鍛造加工して所定の成形品を成形する据え込み鍛造型と、
相対向して設けられた一対の固定テーブルと、
該一対の固定テーブルの間に配置され、前記一対の固定テーブルの間を移動するスライドテーブルとを備えており、
前記固定テーブルの一方とスライドテーブルとの間に、前記押し出し成形型と前記据え込み鍛造型とのいずれか一方が設けられ、
前記固定テーブルの他方とスライドテーブルとの間に、前記押し出し成形型と前記据え込み鍛造型とのいずれか他方が設けられていることを特徴とする塑性加工装置。
【請求項２】
前記スライドテーブルに、前記押し出し加工された粗形材を前記押し出し成形型側から前記据え込み鍛造型側に通過させる通過部を設けたことを特徴とする請求項１に記載の塑性加工装置。
【請求項３】
前記通過部を通過した粗形材を前記据え込み鍛造型に搬送する粗形材搬送手段を備えていることを特徴とする請求項２に記載の塑性加工装置。
【請求項４】
前記押し出し成形型に供給されて押し出し加工された素材から粗形材を切り出す切り出し手段を備えたことを特徴とする請求項１〜３のいずれか１項に記載の塑性加工装置。
【請求項５】
素材を押し出し加工して粗形材を成形する工程と、該粗形材を据え込み鍛造加工して所定の成形品を成形する工程とを行う塑性加工方法であって、
一対の固定テーブルを相対向して設けると共に、該一対の固定テーブルの間に配置され、前記一対の固定テーブルの間を移動するスライドテーブルを設け、
前記固定テーブルの一方とスライドテーブルとの間に押し出し成形型と据え込み鍛造型とのいずれか一方を設け、
前記固定テーブルの他方とスライドテーブルとの間に前記押し出し成形型と前記据え込み鍛造型とのいずれか他方を設けておき、
前記スライドテーブルを前記固定テーブルの一方に近接移動させて、前記押し出し成形型と前記据え込み鍛造型とのいずれか一方により、素材を押し出し加工して粗形材を成形する工程と、該粗形材を据え込み鍛造加工して所定の成形品を成形する工程とのいすれか一方を行うと共に、前記押し出し成形型と前記据え込み鍛造型とのいずれか他方を型開きし、
前記スライドテーブルを前記固定テーブルの他方に近接移動させて、前記押し出し成形型と前記据え込み鍛造型とのいずれか他方により、素材を押し出し加工して粗形材を成形する工程と、該粗形材を据え込み鍛造加工して所定の成形品を成形する工程とのいすれか他方を行うと共に、前記押し出し成形型と前記据え込み鍛造型とのいずれか一方を型開きすることを特徴とする塑性加工方法。
【請求項６】
前記スライドテーブルに、前記押し出し加工された粗形材を前記押し出し成形型側から前記据え込み鍛造型側に通過させる通過部を設けておき、該通過部を介して、前記押し出し成形型から押し出し成形された粗形材を前記スライドテーブルの前記据え込み鍛造型側に移動させることを特徴とする請求項５に記載の塑性加工方法。
【請求項７】
前記素材を前記押し出し成形型に供給して押し出し加工し、前記押し出し成形型から押し出された素材から粗形材を切り出すことを特徴とする請求項５または６のいずれかに記載の塑性加工方法。
【発明の詳細な説明】
【技術分野】
【０００１】
本発明は、塑性加工装置および塑性加工方法に関し、さらに詳しくは、素材を押し出し加工して粗形材を成形するとともに、この粗形材を据え込み鍛造加工して所定の成形品を成形するための塑性加工装置および塑性加工方法に関するものである。
【背景技術】
【０００２】
図１１の上段に示すように、たとえばほぼ正方体の素材Ｗ１を押し出し加工して長方体の粗形材Ｗ２を成形し、この粗形材Ｗ２を厚さ方向に平面鍛造加工するなど、据え込み（密閉据え込みとオープン据え込みのいずれも含む）鍛造加工して板状の所定の成形品Ｗ３を成形する場合の従来の技術としては、一般に、押し出し成形装置２１０と据え込み鍛造装置（以下では、平面鍛造装置２２０と称する）とを個別に用意している。図１１の中段に示した押し出し成形装置２１０は、素材Ｗ１が投入されるダイス２１１と、このダイス２１１内に進入して素材Ｗ１を加圧するパンチ２１２とを備えており、ダイス２１１は、素材Ｗ１が投入される部分２１１ａよりも断面積が小さい押し出し部２１１ｂを備えており、パンチ２１２は、ダイス２１１の素材Ｗ１が投入される部分２１１ａの断面積および断面形状に応じて成形されている。また、図１１に示した平面鍛造装置２２０は、粗形材Ｗ２を収容する凹部２２１ａを有する鍛造下型２２１とこの鍛造下型２２１の凹部２２１ａに進入して粗形材Ｗ２を加圧する鍛造上型２２２とを備えている。そして、押し出し成形装置２１０と平面鍛造装置２２０との間には、粗形材Ｗ２を押し出し成形装置２１０から平面鍛造装置２２０に搬送するための搬送手段２３０と、粗形材Ｗ２を所定温度に再加熱するための加熱手段２４０が必要に応じて設けられている。
【０００３】
このように構成された押し出し成形装置２１０と平面鍛造装置２２０とを用いて素材Ｗ１から成形品Ｗ３を成形する場合には、押し出し成形装置２１０のパンチ２１２を上昇させた状態でほぼ正方形の素材Ｗ１をダイス２１１内に投入し、パンチ２１２を下降させて素材を加圧する。素材Ｗ１は、パンチ２１２によって加圧されて、ダイス２１１の押し出し部２１１ｂから押し出し成形される。そして、再びパンチ２１２を上昇させて次の素材Ｗ１を投入し、パンチ２１２を下降させて次の素材Ｗ１を加圧すると、先に押し出し成形された素材Ｗ１が押し出し部から完全に押出され、その全長にわたって断面が縮小されて長方形の粗形材Ｗ２が成形されることとなる。かかる粗形材Ｗ２は、搬送手段２３０によって押し出し成形装置２１０から搬出され、必要に応じて加熱手段２４０により再加熱され、平面鍛造装置２２０に搬送されて鍛造下型２２１の凹部２２１ａ内に収容される。そして、鍛造上型２２２を下降させると、粗形材Ｗ２が凹部２２１ａ内で加圧されて、粗形材Ｗ２を構成していた結晶の方向が揃えられるなど組織が改質されて、所定の厚さ、所定の形状を有する成形品Ｗ３が成形される。なお、押し出し加工が鍛造加工に含まれることから、押し出し成形装置も鍛造装置の一種である。
【０００４】
ところで、このような複数の鍛造装置を組み込んで１台の設備とすることが、特許文献１に開示されている。特許文献１は、ねじり加工及び整形加工をともなう一体型クランク軸の鍛造成形から整形加工までを一台の設備で行いクランク軸の鍛造コストを下げる鍛造方法を提供することを目的としたもので、一定の長さに切断され、加熱された鋼材を荒地成形−荒打ち成形−仕上げ打ち成形−バリ抜き成形−ねじり加工−整形加工−空冷の工程をへて製造される一体形クランク軸の鍛造方法において、上記荒地成形から整形加工までを一台の設備を使って製造することを特徴とするクランク軸の鍜造方法が開示されている。
【０００５】
そして、特許文献１には、鍛造プレスフレームが荒地成形−荒打ち成形−仕上げ打ち成形−バリ抜き成形を行うための鍛造成形ラムと、ねじり加工−整形加工を行うための整形加工用ラムとの２台のラムとを有しており、整形加工用ラムがねじり加圧ラムを有しており、鍛造成形金型と、ねじり型および整形用金型とを設けた鍛造プレスが開示されている。
【先行技術文献】
【特許文献】
【０００６】
【特許文献１】特開平６−２４６３８６号公報
【発明の概要】
【発明が解決しようとする課題】
【０００７】
しかしながら、上記従来の技術のうち、図１１の中段に示したように、押し出し成形装置２１０と平面鍛造装置２２０とを個別に用意する場合にあっては、これらの押し出し成形装置２１０と平面鍛造装置２２０との設備コストがそれぞれかかると共に、両装置２１０、２２０の設置スペースが必要となるという問題があった。また、両装置２１０、２２０を個別に用意する場合には、図１１の下段に示すように、押し出し成形装置２１０と平面鍛造装置２２０により、押し出し加工と据え込み鍛造加工を完了した後に、それぞれパンチ２１２と鍛造上型２２２を所定の力、所定の速度で上昇させて型開きさせる。このパンチ２１２と鍛造上型２２２をそれぞれ上昇させるための駆動エネルギが必要であるという問題があった。
【０００８】
さらに、両装置２１０、２２０を個別に用意する場合には、押し出し成形装置２１０で成形された粗形材Ｗ２を平面鍛造装置２２０に搬送するための装置２３０もさらに個別に設ける必要があり、また、粗形材Ｗ２を熱間で据え込み鍛造加工する場合には、粗形材Ｗ２を押し出し成形装置２１０から平面鍛造装置２２０に搬送するまでに時間がかかり、その結果、粗形材Ｗ２の温度が低下するために再加熱が必要となることから、加熱手段２４０をさらに個別に設ける必要があり、設備コストがかかると共に、再加熱に要するエネルギコストがかかるなどの問題があった。
【０００９】
また、上記従来の技術のうち特許文献１に開示された技術を適用して単に押し出し成形装置と平面鍛造装置とを隣接させて組み込んで１台の設備として構成すると仮定しても、上述した両装置を個別に用意する場合と比較して僅かに設備コストや設置スペースを低減させることができる程度でしかなく、パンチと鍛造上型をそれぞれ型開きすべく上昇させるための駆動エネルギを低減させることができず、また、押し出し成形装置で成形された粗形材を平面鍛造装置に搬送するための装置や、粗形材を再加熱するための加熱手段を設ける必要があるなどの問題を解決することはできない。
【００１０】
本発明は、上述した問題に鑑みてなされたものであり、簡単な構成で、素材を押し出し加工して粗形材を成形するとともに、この粗形材を据え込み鍛造加工して所定の成形品を少ないコストで成形することができる塑性加工装置および塑性加工方法を提供することを目的とする。
【課題を解決するための手段】
【００１１】
請求項１の塑性加工装置に係る発明は、上記目的を達成するため、素材を押し出し加工して粗形材を成形する押し出し成形型と、前記粗形材を据え込み鍛造加工して所定の成形品を成形する据え込み鍛造型と、相対向して設けられた一対の固定テーブルと、該一対の固定テーブルの間に配置され、前記一対の固定テーブルの間を移動するスライドテーブルとを備えており、前記固定テーブルの一方とスライドテーブルとの間に、前記押し出し成形型と前記据え込み鍛造型とのいずれか一方が設けられ、前記固定テーブルの他方とスライドテーブルとの間に、前記押し出し成形型と前記据え込み鍛造型とのいずれか他方が設けられていることを特徴とする。
請求項２の塑性加工装置に係る発明は、上記目的を達成するため、請求項１に記載の発明において、前記スライドテーブルに、前記押し出し加工された粗形材を前記押し出し成形型側から前記据え込み鍛造型側に通過させる通過部を設けたことを特徴とする。
請求項３の塑性加工装置に係る発明は、上記目的を達成するため、請求項２に記載の発明において、前記通過部を通過した粗形材を前記据え込み鍛造型に搬送する粗形材搬送手段を備えていることを特徴とする。
請求項４の塑性加工装置に係る発明は、上記目的を達成するため、請求項１〜３のいずれか１項に記載の発明において、前記押し出し成形型に供給されて押し出し加工された素材から粗形材を切り出す切り出し手段を備えたことを特徴とする。
また、請求項５の塑性加工方法に係る発明は、上記目的を達成するため、素材を押し出し加工して粗形材を成形する工程と、該粗形材を据え込み鍛造加工して所定の成形品を成形する工程とを行う塑性加工方法であって、一対の固定テーブルを相対向して設けると共に、該一対の固定テーブルの間に配置され、前記一対の固定テーブルの間を移動するスライドテーブルを設け、前記固定テーブルの一方とスライドテーブルとの間に押し出し成形型と据え込み鍛造型とのいずれか一方を設け、前記固定テーブルの他方とスライドテーブルとの間に前記押し出し成形型と前記据え込み鍛造型とのいずれか他方を設けておき、前記スライドテーブルを前記固定テーブルの一方に近接移動させて、前記押し出し成形型と前記据え込み鍛造型とのいずれか一方により、素材を押し出し加工して粗形材を成形する工程と、該粗形材を据え込み鍛造加工して所定の成形品を成形する工程とのいすれか一方を行うと共に、前記押し出し成形型と前記据え込み鍛造型とのいずれか他方を型開きし、前記スライドテーブルを前記固定テーブルの他方に近接移動させて、前記押し出し成形型と前記据え込み鍛造型とのいずれか他方により、素材を押し出し加工して粗形材を成形する工程と、該粗形材を据え込み鍛造加工して所定の成形品を成形する工程とのいすれか他方を行うと共に、前記押し出し成形型と前記据え込み鍛造型とのいずれか一方を型開きすることを特徴とする。
請求項６の塑性加工方法に係る発明は、上記目的を達成するため、請求項５に記載の発明において、前記スライドテーブルに、前記押し出し加工された粗形材を前記押し出し成形型側から前記据え込み鍛造型側に通過させる通過部を設けておき、該通過部を介して、前記押し出し成形型から押し出し成形された粗形材を前記スライドテーブルの前記据え込み鍛造型側に移動させることを特徴とする。
請求項７の塑性加工方法に係る発明は、上記目的を達成するため、請求項５または６のいずれかに記載の発明において、前記素材を前記押し出し成形型に供給して押し出し加工し、前記押し出し成形型から押し出された素材から粗形材を切り出すことを特徴とする。
【発明の効果】
【００１２】
請求項１の塑性加工装置に係る発明によれば、相対向して設けられた一対の固定テーブルと、該一対の固定テーブルの間に配置され、前記一対の固定テーブルの間を移動するスライドテーブルとを備えており、素材を押し出し加工して粗形材を成形するための押し出し成形型と、粗形材を据え込み鍛造加工して所定の成形品を成形する据え込み鍛造型とのいずれか一方を、前記固定テーブルの一方とスライドテーブルとの間に、また、押し出し成形型と据え込み鍛造型とのいずれか他方を、前記固定テーブルの他方とスライドテーブルとの間に設けるという簡単な構成により、前記スライドテーブルを前記固定テーブルの一方に近接移動させると、前記押し出し成形型と据え込み鍛造型とのいずれか一方により、素材を押し出し加工して粗形材を成形する工程と、該粗形材を据え込み鍛造加工して所定の成形品を成形する工程とのいずれか一方を行うと共に、前記押し出し成形型と据え込み鍛造型とのいずれか他方を型開きし、また、前記スライドテーブルを前記固定テーブルの他方に近接移動させると、前記押し出し成形型と据え込み鍛造型とのいずれか他方により、素材を押し出し加工して粗形材を成形する工程と、該粗形材を据え込み鍛造加工して所定の成形品を成形する工程とのいずれか他方を行うと共に、前記押し出し成形型と据え込み鍛造型とのいずれか一方を型開きすることができるため、少ないコストで素材を押し出し加工して粗形材を成形するとともに、この粗形材を据え込み鍛造加工して所定の成形品を成形することが可能な塑性加工装置を提供することができる。
請求項２の塑性加工装置に係る発明によれば、請求項１に記載の発明において、前記スライドテーブルに通過部を設けることにより、前記押し出し成形型から押し出し加工された粗形材をスライドテーブルの押し出し成形型側から据え込み鍛造型側に通過させて、容易に末込み鍛造型により据え込み鍛造加工を行うことができる。
請求項３の塑性加工装置に係る発明によれば、請求項２に記載の発明において、粗形材搬送手段を備えていることにより、前記通過部を通過した粗形材を短時間で容易に且つ確実に据え込み鍛造型に搬送して据え込み鍛造加工を行うことができる。
請求項４の塑性加工装置に係る発明によれば、請求項１〜３のいずれか１項に記載の発明において、素材を押し出し加工すると、素材の一部が押し出し加工型の内部に残留する。そして次に素材を押し出し加工すると、先の素材が押し出し加工型から完全に押し出し加工されて、粗形材となる。この粗形材は、押し出し加工する際の圧力や押し出し加工型に塗布される離型剤の影響などによって、後に押し出し加工され押し出し加工型内に一部が残留した素材と癒着し連続した状態となっている場合であっても、切り出し手段を備えたことにより、後に押し出し加工され押し出し加工型内に一部が残留した素材と癒着し連続した粗形材を素材から確実に切り出して、確実に粗形材を据え込み鍛造型で据え込み鍛造加工して所定の成形品に成形することができる。
なお、請求項４に記載の発明において、切り出し手段は、前記押し出し成形型から押し出された素材と癒着した粗形材が挿通される挿通部と、該挿通部を変位させる変位手段とを有することができる。この場合には、押し出し成形型から押し出された素材と癒着した粗形材が挿通部に挿通された状態で、変位手段により挿通部を変位させると、押し出し成形型から押し出されて粗形材と癒着した状態の素材から粗形材を容易に且つ確実に切り出すことができる。
さらに、この場合において、前記変位手段は、前記挿通部を支持し、前記押し出し成形型から押し出される素材の方向に対して傾斜する軸線回りに回動される回動部材により構成することができる。この場合にあっては、回動部材をその傾斜した軸線回りに回動させることにより、押し出し成形型から押し出されて粗形材と癒着した状態の素材から挿通部に挿通された粗形材を容易に且つ確実に切り出すことができる。
また、この場合において、前記変位手段は、前記挿通部を支持し、前記押し出し成形型から押し出される素材の方向と平行であって素材の軸線から偏心する軸線回りに回動される回動部材により構成することができる。この場合には、回動部材をその偏心した軸線回りに回動させることにより、押し出し成形型から押し出されて粗形材と癒着した状態の素材から挿通部に挿通された粗形材を容易に且つ確実に切り出すことができる。
さらに、請求項４に記載の発明において、切り出し手段は、前記押し出し成形型から押し出された素材に癒着した粗形材を把持することが可能な把持部材と、該把持部材を開閉させて粗形材を把持および解放作動させる作動手段と、前記把持部材および作動手段を粗形材の把持位置と解放位置とに移動させる移動手段とを備えていることができる。この場合には、押し出し成形型から押し出された素材と癒着した粗形材を、把持部材が把持位置で把持するように作動手段が駆動され、移動手段によりに把持位置から解放位置に向かって移動されることにより、粗形材を素材から確実に切り出すことができる。
【００１３】
また、請求項５の塑性加工方法に係る発明によれば、一対の固定テーブルを相対向して設けると共に、該一対の固定テーブルの間に配置され、前記一対の固定テーブルの間を移動するスライドテーブルを設け、前記固定テーブルの一方とスライドテーブルとの間に前記押し出し成形型と据え込み鍛造型とのいずれか一方を設け、前記固定テーブルの他方とスライドテーブルとの間に前記押し出し成形型と据え込み鍛造型とのいずれか他方を設けておくことにより、前記スライドテーブルを前記固定テーブルの一方に近接移動させることにより、前記押し出し成形型と据え込み鍛造型とのいずれか一方が、素材を押し出し加工して粗形材を成形する工程と、該粗形材を据え込み鍛造加工して所定の成形品を成形する工程とのいずれか一方を行うと共に、前記押し出し成形型と据え込み鍛造型とのいずれか他方を型開きし、また、前記スライドテーブルを前記固定テーブルの他方に近接移動させることにより、前記押し出し成形型と据え込み鍛造型とのいずれか他方が、素材を押し出し加工して粗形材を成形する工程と、該粗形材を据え込み鍛造加工して所定の成形品を成形する工程とのいずれか他方を行うと共に、前記押し出し成形型と据え込み鍛造型とのいずれか一方を型開きすることができるため、各工程を簡単な構成とすることができると共に各工程を連続して行って、素材を押し出し加工して粗形材を成形するとともに、この粗形材を据え込み鍛造加工して所定の成形品を少ないコストで成形することが可能な塑性加工方法を提供することができる。
請求項６の塑性加工方法に係る発明によれば、請求項５に記載の発明において、前記スライドテーブルに、前記押し出し加工された粗形材を押し出し成形型側から据え込み鍛造型側に通過させる通過部を設けておき、該通過部を介して、前記押し出し成形型から押し出し成形された粗形材をスライドテーブルの据え込み鍛造型側に移動させることにより、押し出し成形型から押し出し加工された粗形材を短時間で容易に且つ確実に押し出し成形型に移動させて据え込み鍛造加工を行うことができる。
請求項７の塑性加工方法に係る発明によれば、請求項５または６のいずれかに記載の発明において、素材を押し出し加工すると、素材の一部が押し出し加工型の内部に残留する。そして次に素材を押し出し加工すると、先の素材が押し出し加工型から完全に押し出し加工されて、粗形材となる。この粗形材は、押し出し加工する際の圧力や押し出し加工型に塗布される離型剤の影響などによって、後に押し出し加工され押し出し加工型内に一部が残留した素材と癒着し連続した状態となっている場合であっても、後に押し出し加工され押し出し加工型内に一部が残留した素材と癒着し連続した粗形材を確実に素材から切り出すことにより、確実に粗形材を据え込み鍛造加工して所定の成形品に成形することができる。
【図面の簡単な説明】
【００１４】
【図１】本発明の塑性加工装置の基本的な構成の実施の一形態を説明するために、スライドテーブルを下降させて、粗形材を据え込み鍛造加工するとともに押し出し成形型を型開きした状態を示した一部縦断正面図である。
【図２】図１の状態からスライドテーブルを上昇させて、素材を押し出し成形加工するとともに据え込み鍛造型を型開きした状態を示した一部縦断正面図である。
【図３】図１および２に示した本発明の塑性加工装置のスライドテーブルを上昇および下降駆動する際に必要なエネルギを説明するために示したグラフである。
【図４】本発明の塑性加工装置の具体的な構成の実施の一形態を説明するために、スライドテーブルを下降させて、粗形材を据え込み鍛造加工するとともに押し出し成形型を型開きした状態を示した一部縦断正面図である。
【図５】図４の一部縦断側面図である。
【図６】図４の状態からスライドテーブルを上昇させて、素材を押し出し成形加工するとともに据え込み鍛造型を型開きした状態を示した一部縦断正面図である。
【図７】図６の一部縦断側面図である。
【図８】本発明の切り出し手段の実施の一形態を説明するために示した切り出し前（ａ）と切り出し後（ｂ）の状態を示した拡大断面図である。
【図９】本発明の塑性加工方法を説明するために図４〜図６に示した塑性加工装置の作動状態を示した要部断面図である。
【図１０】図９から続いて、塑性加工装置の作動状態を示した要部断面図である。
【図１１】押し出し成形加工される前の素材、押し出し成形加工された粗形材、およびこの粗形材を平面鍛造下降により成形された成形品の形状と（上段）、従来の個別に用意された押し出し成形装置と平面鍛造装置の一般的な基本構成をそれぞれ示した一部縦断正面図と（中段）、従来の一般的な押し出し成形加工型と平面鍛造加工型の上昇および下降駆動する際に必要なエネルギを説明するために示したグラフである。
【発明を実施するための形態】
【００１５】
最初に、本発明の塑性加工装置の基本的な構成の実施の一形態を、図１〜図３に基づいて詳細に説明する。なお、この実施の形態においては、素材、粗形材、および成形品の形状が図１１の上段に示したものと同様である場合により説明する。
本発明の塑性加工装置は、概略、素材Ｗ１を押し出し加工して粗形材Ｗ２を成形する押し出し成形型１と、粗形材Ｗ２を据え込み鍛造加工して所定の成形品Ｗ３を成形する据え込み鍛造型２と、相対向して設けられた一対の固定テーブル３、４と、この一対の固定テーブル３、４の間に配置されて一対の固定テーブル３、４の間を移動するスライドテーブル５とを備えており、固定テーブル３、４の一方とスライドテーブル５との間に、押し出し成形型１と据え込み鍛造型２とのいずれか一方が設けられ、また、固定テーブル３、４の他方とスライドテーブル５との間に、押し出し成形型１と据え込み鍛造型２とのいずれか他方が設けられている。
【００１６】
この実施の形態の場合、一対の固定テーブル３、４が上下に配置されており、スライドテーブル５が昇降移動するよう構成されている。そのため、以下の説明では、下方に設置される固定テーブルをベース４と、ベース４の上方に相対向して設置される固定テーブルをフレーム３と称することにする。
【００１７】
ベース４とフレーム３、およびスライドテーブル５は、ほぼ矩形の形状に成形された盤状のものでありベース４の角隅部にはそれぞれガイドバー６が立設されており、各ガイドバー６の上端には、フレーム３の角隅部が支持されている。また、この実施の形態では、スライドテーブル５の角隅部にブッシュ５ａがそれぞれ設けられており、各ブッシュ５ａにはそれぞれガイドバー６の中間部が摺動可能に挿通されている。スライドテーブル５には、昇降移動させるためのスライド駆動機構（後で、より具体的な実施の形態において説明する）が接続されている。
【００１８】
押し出し成形型１は、素材Ｗ１が投入されるダイス１１と、このダイス１１内に進入して素材Ｗ１を加圧するパンチ１２とを備えており、ダイス１１は、素材Ｗ１が投入される部分１１ａよりも断面積が小さい押し出し部１１ｂを備えている。パンチ１２は、ダイス１１の素材が投入される部分１１ａの断面積および断面形状に応じて成形されている。また、据え込み鍛造型２は、粗形材Ｗ２を収容する凹部２１ａを有する鍛造下型（鍛造雌型）２１とこの鍛造下型２１の凹部２１ａに進入して粗形材Ｗ２を加圧する鍛造上型（鍛造雄型）２２とを備えている。
【００１９】
この実施の形態においては、フレーム３の下面にパンチ１２が、そして、スライドテーブル５の上面にダイス１１が、互いに対応するように取り付けられている。すなわち、押し出し成形型１は、固定テーブルの一方であるフレーム３とスライドテーブル５との間に設けられている。また、ベース４の上面に鍛造下型２１が、そして、スライドテーブル５の下面に鍛造上型２２が、互いに対応するように取り付けられている。すなわち、据え込み鍛造型２は、固定テーブルの他方であるベース４とスライドテーブル５との間に設けられている。
【００２０】
さらに、スライドテーブル５には、そのダイス１１の押し出し部と対応する位置に、粗形材Ｗ２を通過させる通過部５０がその上下面にわたって貫通するように形成されている。そして、据え込み鍛造型２は、通過部５０を避けた位置に配設される。
【００２１】
なお、本発明は、上述した実施の形態に限定されることはなく、たとえば、フレーム３の下面にダイス１１を、スライドテーブル５の上面にパンチ１２をそれぞれ取り付け、また、ベース４の上面に鍛造雄型２２を、スライドテーブル５の下面に鍛造雌型２１をそれぞれ取り付ける場合も含むことができる。さらに、フレーム３とスライドテーブル５との間に据え込み鍛造型２を設けるとともにベース４とスライドテーブル５との間に押し出し成形型１を設けることも本発明に含まれる。さらに、本発明は、ベース４の上方にフレーム３を設けてスライドテーブル５を昇降移動させるよう構成することに限定されることなく、ベース４とスライドテーブル５とフレーム３を、各面が垂直となるような姿勢で設け、スライドテーブル５を水平方向に移動させるよう構成する場合も含まれる。
【００２２】
次に、本発明の塑性加工方法の基本的な構成を、上述したように構成された塑性加工装置を用いる場合により、その作動と共に説明する。
本発明の塑性加工方法は、概略、素材Ｗ１を押し出し加工して粗形材Ｗ２を成形する工程と、この粗形材Ｗ２を据え込み鍛造加工して所定の成形品Ｗ３を成形する工程とを行うものであって、一対の固定テーブル３、４を相対向して設けると共に、この一対の固定テーブル３、４の間に配置されて一対の固定テーブル３、４の間を移動するスライドテーブル５を設け、固定テーブル３、４の一方とスライドテーブル５との間に押し出し成形型１と据え込み鍛造型２とのいずれか一方を設け、固定テーブル３、４の他方とスライドテーブル５との間に押し出し成形型１と据え込み鍛造型２とのいずれか他方を設けておく。そして、スライドテーブル５を固定テーブル３、４の一方に近接移動させて、押し出し成形型１と据え込み鍛造型２とのいずれか一方により、素材Ｗ１を押し出し加工して粗形材Ｗ２を成形する工程と、この粗形材Ｗ２を据え込み鍛造加工して所定の成形品Ｗ３を成形する工程とのいずれか一方を行うと共に、押し出し成形型１と据え込み鍛造型２とのいずれか他方を型開きし、また、スライドテーブル５を固定テーブル３、４の他方に近接移動させて、押し出し成形型１と据え込み鍛造型２とのいずれか他方により、素材Ｗ１を押し出し加工して粗形材Ｗ２を成形する工程と、この粗形材Ｗ２を据え込み鍛造加工して所定の成形品Ｗ３を成形する工程とのいずれか他方を行うと共に、押し出し成形型１と据え込み鍛造型２とのいずれか一方を型開きする。
【００２３】
素材Ｗ１から成形品Ｗ３を塑性加工するに先立って、固定テーブルとしてベース４とフレーム３を相対向して設けると共に、このベース４とフレーム３の間のガイドバー６にスライドテーブル５のブッシュ５ａを摺動可能に挿通し、固定テーブルの一方であるフレーム３とスライドテーブル５とに押し出し成形型１のパンチ１２とダイス１１をそれぞれ取り付け、固定テーブルの他方であるベース４とスライドテーブル５とに据え込み鍛造型２の鍛造下型２１と鍛造上型２２とをそれぞれ取り付けておくことは、上述したとおりである。
【００２４】
素材Ｗ１から成形品Ｗ３を塑性加工するに際して、素材Ｗ１は、一成形品Ｗ３と対応した大きさ（容積）に成形されている。この素材Ｗ１は、たとえば、粉末状の金属材料を成形して圧粉体とし、この圧粉体を焼結してなるものにより構成することができる。素材Ｗ１は、押し出し成形型１のダイス１１の素材Ｗ１が投入される部分１１ａ内に投入される。
【００２５】
この状態で、図２に示すように、スライドテーブル５をこの実施の形態ではフレーム３に近づけるよう上昇させると、このスライドテーブル５の上昇に伴って、ダイス１１の収容部分１１ａ内に収容された素材Ｗ１が相対的にパンチ１２により加圧されて、断面積が縮小された状態でダイス１１の押し出し部１１ｂから押し出される（前方押し出し）。このとき、先の成形サイクルでダイス１１の押し出し部１１ｂから押し出されていた素材Ｗ１は、この成形サイクルで素材Ｗ１が押し出されることによってダイス１１の押し出し部１１ｂから完全に押し出されて粗形材Ｗ２となる。そして、押し出し加工により成形された粗形材Ｗ２は、スライドテーブル５に形成された通過部５０を介して、据え込み鍛造型２が設けられているスライドテーブル５の下方へと移動する。一方、据え込み鍛造型２は、スライドテーブル５の上昇に伴って、鍛造下型２１から鍛造上型２２が離間するよう移動して型開きされ、先の成形サイクルで成形された成形品Ｗ３を取り出し、この成形サイクルでダイス１１の押し出し部１１ｂから完全に押し出された粗形材Ｗ２を鍛造下型２１の凹部２１ａ内に収容することが可能となる。
【００２６】
その後、図１に示したように、スライドテーブル５をこの実施の形態ではベース４に近づけるよう下降させると、このスライドテーブル５の下降に伴ってダイス１１が相対的にパンチ１２から離間して、次の成形サイクルで押し出し加工する素材Ｗ１を投入することが可能となる。一方、据え込み鍛造型２は、スライドテーブル５の下降に伴って、鍛造上型２２が鍛造下型２１に近付き、鍛造下型２１の凹部２１ａ内に収容された粗形材Ｗ２を加圧して、所定の厚さ、所定の形状を有する成形品Ｗ３が成形される。このとき、粗形材Ｗ２を加圧することにより、素材Ｗ１を構成していた結晶が方向を揃えられるなど、組織を改質された成形品Ｗ３が成形されることとなる。
【００２７】
本発明では、一対の固定テーブル３、４の間に配置されて一対の固定テーブル３、４の間を移動するスライドテーブル５を設けて、この実施の形態では固定テーブルの一方であるフレーム３とスライドテーブル５との間に押し出し成形型１を設けるとともに、固定テーブルの他方であるベース４とスライドテーブル５との間に据え込み鍛造型２を設けておくことにより、図３に示すように、スライドテーブル５をベース４から離間させるよう上昇させると、押し出し成形型１による素材Ｗ１の押し出し加工と据え込み鍛造型２の型開きを同時に行うことができ、これとは逆に、スライドテーブル５をフレーム３から離間させるよう下降させると、押し出し成形型１の型開きと据え込み鍛造型２による粗形材Ｗ２の据え込み鍛造加工とを同時に行うことができる。そのため、押し出し成形装置２１０と平面鍛造装置２２０とを個別に用意していた場合の従来の技術（図１１の下段を参照）のように両装置１００、２００を型開きするための駆動エネルギが不要となることから、省エネルギ化を図ることができる。
【００２８】
次に、本発明の塑性加工装置の別の実施の形態を、主に図４〜図８により具体的に示した例に基づいて説明する。なお、この実施の形態では、基本的な構成を説明した上述の実施の形態と同様または相当する部分については同じ符号を付してその説明を省略し、異なる部分についてのみ説明することとする。
【００２９】
この実施の形態における塑性加工装置は、上述した基本的な構成に加えて、押し出し成形型１に投入されて押し出し加工された素材Ｗ１から粗形材Ｗ２を切り出す切り出し手段７と、通過部５０を通過した粗形材Ｗ２を据え込み鍛造型２に搬送する粗形材搬送手段８とを備えている。
さらに、この実施の形態における塑性加工装置は、押し出し加工と据え込み鍛造加工とを不活性ガス雰囲気下で行うために一対の固定テーブルの間を取り囲むチャンバ９０と、チャンバ９０外からチャンバ９０内の押し出し成形型１のダイス１１内に素材Ｗ１を投入するための素材搬入手段９１と、据え込み鍛造型２によって成形された成形品Ｗ３を鍛造下型２１から突き出すエジェクタ手段９２と、鍛造下型２１から突き出された成形品Ｗ３をチャンバ９０内からチャンバ９０外に搬出する成形品搬出手段９３とを備えている。
【００３０】
さらにまた、この実施の形態における塑性加工装置は、押し出し成形型１に投入される素材Ｗ１を所定の温度に加熱する加熱手段９４と、素材Ｗ１を押し出し加工するための押し出し成形型１を所定の温度に保温する保温手段９５とを備えている。
【００３１】
ダイス１１の押し出し部１１ｂから完全に押し出された粗形材Ｗ２は、次の成形サイクルで素材Ｗ１を押し出し加工する際の圧力や押し出し加工型１に塗布される離型剤の影響などによって、図８の(ａ)に示すように、素材Ｗ１と癒着し連続した状態となっている場合がある。このような場合に切り出し手段７がダイス１１の押し出し部１１ｂに隣接して、または、押し出し部１１ｂと整合するよう配置された通過部５０に隣接して、設けられる。切り出し手段７は、図８に示すように、押し出し成形型１から押し出された素材Ｗ１と癒着した粗形材Ｗ２が挿通される挿通部７０と、この挿通部７０を変位させる変位手段７１とを有しており、変位手段７１は、挿通部７０を支持する回動部材７２の軸線Ｃが、ダイス１１の押し出し部１１ｂから素材Ｗ１の押し出される方向に対して傾斜することにより構成されている。
【００３２】
図８に示したように構成された切り出し手段７は、押し出し成形を行うときに図８の(ａ)に示すように、押し出し加工される素材Ｗ１と癒着した粗形材Ｗ２が挿通され得るように挿通部７０が位置されている。そして、押し出し成形が完了すると、図８の(ｂ)に示すように回動部材７２が傾斜した軸線Ｃ回りに回動される。回動部材７２の回動中心である軸線Ｃが押し出し成形型１から素材Ｗ１の押し出される方向に対して傾斜していることにより、押し出し加工される素材Ｗ１と癒着した粗形材Ｗ２の端部が変位され、その結果、粗形材Ｗ２が素材Ｗ１から切り離されることとなる。その後、図８の(ａ)に示すように、粗形材Ｗ２が挿通部７０に挿通され得る位置に回動部材７２が回動され戻される。素材Ｗ１から切り出された粗形材Ｗ２は、挿通部７０からスライドテーブル５の下方に落下することとなる。
【００３３】
なお、切り出し手段７は、図８に示した実施の形態に限定されることはなく、図１０の（ｅ）に参照されるように、変位手段７１が、押し出し成形型１から素材Ｗ１の押し出される方向と平行であって素材Ｗ１の軸線から偏心する軸線Ｃ回りに回動されるような回動部材７２を設けることにより構成することもできる。この場合には、挿通部７０に粗形材Ｗ２が挿通された状態から回動部材７２を図１０の（ｅ）に示したように回動させると、押し出し加工される素材Ｗ１と癒着した粗形材Ｗ２の端部が変位され、その結果、粗形材Ｗ２が素材Ｗ１から切り離されることとなる。
【００３４】
また、切り出し手段７は、図１０の（ｆ）に参照されるように、押し出し成形型１から押し出された素材Ｗ１に癒着した粗形材Ｗ２を把持することが可能な把持部材７３と、この把持部材７３を開閉させて粗形材Ｗ２を把持および解放作動させる作動手段と、把持部材７３および作動手段を粗形材Ｗ２の把持位置と解放位置とに移動させる移動手段とを備えた構成とすることもできる。この場合には、把持部材７３を閉じた状態とすることにより、上述したように素材Ｗ１の挿通部７０を構成することもできる。また、把持部材７３を閉じさせて粗形材Ｗ２を把持させた状態で把持部材７３を上述したように軸線Ｃ回りに回動させることによって素材Ｗ１から粗形材Ｗ２を変位させるように構成することもできる。
【００３５】
この実施の形態における粗形材搬送手段８は、後述するチャンバ９０を貫通してチャンバ９０内に進入・退出するよう移動される搬送ロッド８０と、この搬送ロッド８０の先端近傍に設けられたクランパ８１とにより構成されている。搬送ロッド８０は、たとえばエアシリンダなどのアクチュエータに接続されている。押し出し加工され通過部５０を通過して切り出し手段７によって粗形材Ｗ２が素材Ｗ１から切り出されると、この粗形材Ｗ２をクランパ８１により把持し、搬送ロッド８０をチャンバ９０内に進出移動させて、粗形材Ｗ２を据え込み鍛造型２の鍛造下型２１の凹部２１ａ内に収容させる。なお、粗形材搬送手段８は、この実施の形態に限定されることはなく、クランパ８１に代えて、切り出し手段７によって素材Ｗ１から切り出され落下する粗形材Ｗ２を受け取る受け皿と、粗形材Ｗ２を鍛造下型２１の凹部２１ａ内に収容させるべく受け皿から粗形材Ｗ２を排出させる排出手段とにより構成することもできる。
【００３６】
この実施の形態においては、スライドテーブル５を昇降移動させるためのスライド駆動機構５１として、ボールネジ機構が採用されている。スライドテーブル５は、図５および図７の左右方向に延びるよう成形されており、その両端にはボールネジナット５２が設けられている。そして、このボールネジナットに５２はボールネジ軸５３が螺合されており、ボールネジ軸５３の端部はフレーム３とベース４にそれぞれ設けられた軸受５４によって軸支されており、ボールネジ軸５３の一方端には、その軸回りに回転駆動するモータ５５が接続されている。また、スライドテーブル５の各角隅部にはガイドバー６が摺動可能に挿通されていることは、上述した実施の形態と同様である。なお、図５および図７では、一点鎖線で示した中心軸線の左右で破断した位置が異なることに注意されたい。
【００３７】
チャンバ９０は、フレーム３とベース４との間の空間を覆うように設けられた箱状のもので、その内部にたとえばアルゴンガスなど、不活性ガスを供給するためのタンクが接続される。チャンバ９０には、その外部にスライドテーブル５のボールネジナット５２が設けられた端部を位置させた状態で、スライドテーブル５の昇降移動を許容するよう形成された窓９０ａと、その外部から内部に素材Ｗ１を搬入するための搬入口９０ｂと、成形された成形品Ｗ３をチャンバ９０内からチャンバ９０外へ搬出するための搬出口９０ｃとが形成されている。スライドテーブル５には、その昇降移動に関わらずチャンバ９０に形成された窓９０ａを塞ぐように板５６が設けられている。また、チャンバ９０の搬入口９０ｂと搬出口９０ｃには、これらをそれぞれ開閉するシャッタ３０、３１がそれぞれ設けられている。さらにチャンバ９０には、粗形材搬送手段８の搬送ロッド８０を摺動可能に支持するためのブッシュ８２が設けられている。
【００３８】
素材搬入手段９１は、図４および図６に示すように、搬入口９０ｂに対して進入・退出可能に設けられた搬入ロッド１００と、この搬入ロッド１００の先端に設けられて素材Ｗ１を把持・解放するクランパ１０１とを備えている。搬入ロッド１００には、搬入口９０ｂに対する進入・退出を駆動するために、たとえばエアシリンダなどのアクチュエータが接続されている。また、加熱手段９４は、チャンバ９０の搬入口９０ｂに隣接し、且つ、搬入ロッド１００によりチャンバ９０の外に退出されるクランパ１０１の後退限位置の下方に設けられた高周波誘導加熱コイル１０２と、素材Ｗ１を支持し高周波誘導加熱コイル１０２内とクランパ１０１に素材Ｗ１を受け渡す位置との間で素材Ｗ１を移動させる素材支持ロッド１０３とを備えている。なお、搬入ロッド１００の前進限は、クランパ１０１に把持された素材Ｗ１がダイス１１の収容部分１１ａの上方に位置するよう設定されている。
【００３９】
エジェクタ手段９２は、鍛造下型２１に設けられたエジェクタピン１０５と、エジェクタピン１０５の基端部が接合されるエジェクタプレート１０６とを備えている。エジェクタプレート１０６は、たとえばエアシリンダなどのアクチュエータにより、エジェクタピン１０５の先端が凹部２１ａと同一面を形成する退避位置と、成形品Ｗ３を鍛造下型２１の上面よりも上方に位置させるように凹部２１ａから突き出す突出し位置とに移動するよう駆動される。
【００４０】
成形品搬出手段９３は、鍛造下型２１の上面から連続し搬出口９０ｃを通ってチャンバ９０の外に延び且つ下降するよう傾斜したガイド１１０と、エジェクタ手段９２によって鍛造下型２１の上面よりも上方に突き出された成形品Ｗ３をガイド１１０上に移送するキッカ１１１とを備えている。この実施の形態では、キッカ１１１は、粗形材搬送手段８の搬送ロッド８０の先端に設けられている。そのため、搬送ロッド８０に設けられたクランパ８１により把持した粗形材Ｗ２を鍛造型２の鍛造下型２１の凹部２１ａ内に収容させるべく、チャンバ９０内に搬送ロッド８０を進出させると、エジェクタ手段９２により突き出された成形品Ｗ３がキッカ１１１によりガイド１１０上に移送され、ガイド１１０の傾斜によりチャンバ９０外に搬出されることとなる。
【００４１】
保温手段９５は、この実施の形態の場合、素材Ｗ１を投入するダイス１１の周囲に設けられた高周波誘導加熱コイル９５により構成されている。しかしながら、本発明はこの実施の形態に限定されることはなく、たとえばダイス１１に電熱ヒータを設けるなど、素材を押し出し加工する際に所定の温度に保温することができるものであればよい。
【００４２】
次に、本発明の塑性加工方法の別の実施の形態を、主に図９および図１０により具体的に示した例に基づいて、図４〜図８に示した塑性加工装置を用いる場合により、その作動と共に説明する。なお、この実施の形態では、基本的な構成を説明した上述の実施の形態と同様または相当する部分については同じ符号を付してその説明を省略し、異なる部分についてのみ説明することとする。
【００４３】
この実施の形態における塑性加工方法は、上述した塑性加工方法の基本的な構成に加えて、押し出し加工により成形され通過部５０を通過してスライドテーブル５の据え込み鍛造型２側に移動した粗形材Ｗ２を、粗形材搬送手段８により据え込み鍛造型２に搬送する。
また、この実施の形態における塑性加工方法は、上述した塑性加工方法に加えてさらに、一成形品Ｗ３の大きさに応じて成形された素Ｗ１材を押し出し成形型１に供給して押し出し加工し、押し出し成形型１から押し出された素材Ｗ１から粗形材Ｗ２を切り出す。
【００４４】
塑性加工により素材Ｗ１から成形品Ｗ３を成形するに先立ち、塑性加工装置が上述したように構成されている。チャンバ９０のスライドテーブル５が通る窓９０ａは、図５に参照されるように、スライドテーブル５に設けられた板５６により塞がれた状態となっている。また、チャンバ９０の搬入口９０ｂと搬出口９０ｃはシャッタ３０、３１によりそれぞれ閉じられた状態となっている。そして、チャンバ９０内には、アルゴンガスなどの不活性ガスが充満されている。
【００４５】
素材Ｗ１を塑性加工して成形品Ｗ３を成形するに際して、素材Ｗ１を一成形品Ｗ３と対応した大きさ（容積）で焼結などにより成形することは上述した実施の形態と同様である。焼結による成形から時間が経過するなどして素材Ｗ１の温度が押し出し加工時の設定温度よりも低下している場合には、図４および図６に参照されるように、この素材Ｗ１を加熱手段９４の素材支持ロッド１０３に支持し、高周波誘導加熱コイル１０２内に配置して所定の温度に加熱する。このとき、スライドテーブル５が下降されており、押し出し成形型１のパンチ１２に対してダイス１１が型開きした状態としておく。また、押し出し成形型１の温度が低く、素材Ｗ１を設定された押し出し加工時の温度に維持できない場合には、ダイス１１に設けられた保温手段９５によりダイス１１を所定の温度に保温しておく。
【００４６】
またこのとき、スライドテーブル５が下降されていることによって、鍛造上型２２が鍛造下型２１の凹部２１ａに収容された粗形材Ｗ２を加圧し、所定の厚さ、所定の形状で成形品Ｗ３が成形されている。成形品Ｗ３は、鍛造金型２内で加圧されることにより、成形品Ｗ３を構成する結晶が方向を揃えられるなど、組織が改質された状態となっている。
【００４７】
その後、素材支持ロッド１０３を上昇させて素材搬入手段９１のクランパ１０１に素材Ｗ１を支持させると共に、シャッタ３０を上昇させてチャンバ９０の搬入口９０ｂを開き、図９の(ａ)に示すように、搬入ロッド１００の先端をチャンバ９０内に進出させてクランパ１０１をダイス１１の上方に位置させ、クランパ１０１を開いて素材Ｗ１を解放し、素材Ｗ１をダイス１１の収容部分１１ａ内に投入する。素材Ｗ１をダイス１１内に投入した後では、図９の(ｂ)に示すように搬入ロッド１００を後退させて、その先端をチャンバ９０外に退出させ、シャッタ３０を下降させてチャンバ９０の搬入口９０ｂを閉鎖する。
【００４８】
続いて、図９の(ｃ)に示すように、スライドテーブル５を上昇させてダイス１１をパンチ１２に近づけ、ダイス１１の収容部分１１ａ内に収容された素材Ｗ１をパンチ１２で相対的に加圧して押し出し加工する。また、先の成形サイクルで成形された成形品Ｗ３をエジェクタ手段９２により鍛造下型２１の凹部２１ａから突き出し、図９の（ｄ）に示すようにスライドテーブル５の下降を開始する。このとき、先の成形サイクルで押し出し加工された素材Ｗ１がダイス１１内に残っており、この成形サイクルでダイス１１に投入された素材Ｗ１を押し加工することにより、ダイス１１内に残っていた素材Ｗ１がダイス１１の押し出し部１１ｂから完全に押し出されて粗形材Ｗ２となる。そして、ダイス１１内から完全に押し出された粗形材Ｗ２は、ダイス１１内に塗布されている離型剤や、押し出し加工する際の圧力などによって、この成形サイクルで投入され押し出し加工される素材Ｗ１の先端と癒着していることが多い。
【００４９】
そこで、この実施の形態では、先の成形サイクルで押し出し加工されこの成形サイクルで成形される粗形材Ｗ２を、この成形サイクルで投入された素材Ｗ１を押し出し加工することによりダイス１１から完全に押し出す際に、図８に示したように、粗形材Ｗ２を切り出し手段７の挿通部７０に受け入れるよう挿通させ、この成形サイクルで投入された素材Ｗ１の押し出し加工が完了してから切り出し手段７の回動部材７２を回動させる。図８に示した切り出し手段７では、回動部材７２の回転中心となる軸線Ｃが素材Ｗ１の押し出し方向に対して傾斜しているため、回動部材７２を回動させることにより粗形材Ｗ２の挿通部７０に挿通された側の端部は、この成形サイクルで投入され押し出し加工された素材Ｗ１の端部から変位され、その結果、癒着した素材Ｗ１から切り離されることとなる。
【００５０】
また、図９の（ｃ）および（ｄ）と図１０の（ｅ）に示したように、回動部材７２の回転中心となる軸線Ｃを、押し出し成形型１から押し出される素材Ｗ１の方向と平行であって素材Ｗ１の軸線Ｃから偏心させた構成とした場合も同様に、回動部材７２をその軸線Ｃ回りに回動させることにより、図１０の(ｅ)に示すように、粗形材Ｗ２の挿通部７０に挿通された側の端部を、この成形サイクルで投入され押し出し成形された素材Ｗ１の端部から変位させて、癒着した素材Ｗ１から切り離すことができる。
【００５１】
さらに、図１０の（ｆ）などに示したように、切り出し手段７が把持部材７３、作動手段、および移動手段を備えた構成とされている場合には、把持位置で作動手段により成形された粗形材Ｗ２を把持部材７３で把持させて、移動手段により移動させることにより、粗形材Ｗ２を癒着した素材Ｗ１の端部から変位させて切り離すことができる。
【００５２】
粗形材Ｗ２をこの成形サイクルで押し出された素材Ｗ１の端部から切り離出すと、図１０の(ｆ)に示すように粗形材搬送手段８のクランパ８１により粗形材Ｗ２を把持して、搬送ロッド８０を進出させることにより鍛造下型２１の凹部２１ａ上に粗形材Ｗ２を位置させ、図１０の（ｇ）に示すように、クランパ８１を開くことにより粗形材Ｗ２を解放して凹部２１ａ内に収容する。このとき、シャッタ３１が上昇されており、チャンバ９０の搬出口９０ｃが開いた状態となっている。そして、搬送ロッド８０の先端に設けられた成形品搬出手段９３のキッカ１１１がエジェクタ手段９２により鍛造下型２１の上方に突き出された成形品Ｗ３をガイド１１０上に移送させることとなる。そのため、成形品Ｗ３は、傾斜したガイド１１０上を滑り、搬出口９０ｃからチャンバ９０の外に搬出されることとなる。
【００５３】
続いて、図１０の(ｈ)に示すように、さらにスライドテーブル５を下降させると、鍛造下型２１に対して鍛造上型２２が近付き、凹部２１ａに収容された粗形材Ｗ２が加圧されて、結晶が方向を揃えられるなど、組織が改質され、所定の厚さ、所定の形状の成形品Ｗ３が成形されることとなる。
【００５４】
この実施の形態では、スライドテーブル５の上昇によって押し出し加工された粗形材Ｗ２を通過部５０によりスライドテーブル５の鍛造型２側に通過させて、切り出し手段７によって素材Ｗ１の端部から粗形材Ｗ２を切り出し、粗形材搬送手段８によって据え込み鍛造型２に搬送して、スライドテーブル５の下降によって粗形材Ｗ２を据え込み鍛造加工して成形品Ｗ３を成形する。そのため、素材Ｗ１から成形品Ｗ３を短時間で成形することができることから、素材Ｗ１から成形品Ｗ３を成形する間の温度低下を防ぐことができ、したがって、所望の品質の成形品Ｗ３を精度よく確実に成形することができる。そして、一成形サイクルを短時間で行うことができるため、成形コストを削減ることができる。さらに、スライドテーブル５の上昇による押し出し加工と、スライドテーブル５の下降による据え込み鍛造加工とを行うことができるため、少ないエネルギで素材Ｗ１から成形品Ｗ３を成形することができる。
【産業上の利用可能性】
【００５５】
本発明は、素材を押し出し加工して粗形材を成形し、この粗形材を最終的に据え込み鍛造加工するものであれば、特に成形する成形品が限定されることはない。
【符号の説明】
【００５６】
Ｗ１：素材、  Ｗ２：粗形材、  Ｗ３：成形品、  １：押し出し成形型、  ２：据え込み鍛造型、  ３：フレーム（固定テーブルの一方）、  ４：ベース（固定テーブルの他方）、  ５：スライドテーブル、  ７：切り出し手段、  ８：粗形材搬送手段、  ５０：通過部
【図１】
2014226679.tif 000003
【図２】
2014226679.tif 000004
【図３】
2014226679.tif 000005
【図４】
2014226679.tif 000006
【図５】
2014226679.tif 000007
【図６】
2014226679.tif 000008
【図７】
2014226679.tif 000009
【図８】
2014226679.tif 000010
【図９】
2014226679.tif 000011
【図１０】
2014226679.tif 000012
【図１１】
2014226679.tif 000013